(57)【要約】 【課題】  複数の異なる周波数帯域の信号を送信可能な重畳信号送信装置を提供するとともに、複数の異なる周波数帯域の信号を確実かつ迅速に受信して報知することができる重畳信号受信装置、通信システム、重畳信号伝送方法および電波時計装置を提供する。【解決手段】  重畳信号受信装置３は、時刻を表す時刻情報に基づく時刻信号に、緊急に報知すべき報知情報を含み、時刻信号とは周波数帯域が異なる報知信号が重畳された重畳信号を受信すると、第１フィルタ２５によって時刻信号を抽出して検波し、第２フィルタ２８によって報知信号を抽出して検波する。第１デコーダ２６は、第１フィルタ２５によって検波した時刻信号に基づいて時刻情報を取得し、第２デコーダ２９は、第２フィルタ２８によって検波した報知信号に基づいて報知情報を取得する。取得した時刻情報および報知情報は、表示部３４に表示することによって報知する。【選択図】      図１
2006345282.tif 000002
【特許請求の範囲】
【請求項１】
複数の異なる周波数帯域の信号が重畳された重畳信号を受信可能な受信手段と、
前記受信手段によって受信した重畳信号に基づいて各周波数帯域の信号を検波する検波手段と、
前記検波手段によって検波した各周波数帯域の信号に基づいて、各信号が表す情報を取得する取得手段と、
前記取得手段によって取得した情報を報知する報知手段とを含むことを特徴とする重畳信号受信装置。
【請求項２】
前記重畳信号は、時刻を表す時刻情報に基づく時刻信号と、緊急に報知すべき報知情報に基づく報知信号とを含むことを特徴とする請求項１記載の重畳信号受信装置。
【請求項３】
前記受信手段によって重畳信号を受信する時刻および頻度のうち、少なくともいずれか一方を設定可能な設定手段をさらに含むことを特徴とする請求項１記載の重畳信号受信装置。
【請求項４】
前記報知手段は、前記取得手段によって取得した情報を表示する表示手段を含み、前記取得手段によって取得した情報を表示手段に表示することによって報知することを特徴とする請求項１記載の重畳信号受信装置。
【請求項５】
前記報知手段は、音声を出力する出力手段を含み、前記取得手段によって取得した情報を出力手段から出力することによって報知することを特徴とする請求項１記載の重畳信号受信装置。
【請求項６】
前記取得手段によって取得した情報と、取得した日時とを関連付けて記憶する記憶手段と、
前記記憶手段に記憶された情報のうち、日時が最も新しい情報から順に前記表示手段に表示することによって報知するように、報知手段を制御する制御手段とをさらに含むことを特徴とする請求項４記載の重畳信号受信装置。
【請求項７】
複数の異なる周波数帯域の信号を重畳することによって重畳信号を生成する信号生成手段と、
前記信号生成手段によって生成される重畳信号を送信する送信手段とを含むことを特徴とする重畳信号送信装置。
【請求項８】
請求項１〜６のいずれか１つに記載の重畳信号受信装置と、
請求項７記載の重畳信号送信装置とを含むことを特徴とする通信システム。
【請求項９】
予め定める時刻情報に基づく時刻信号に、緊急に報知すべき報知情報に基づく報知信号であって、前記時刻信号とは異なる周波数帯域の報知信号を重畳することによって重畳信号を生成する重畳信号生成工程と、
前記重畳信号生成工程で生成された重畳信号を送信する送信工程とを含むことを特徴とする重畳信号伝送方法。
【請求項１０】
時刻を計時する計時手段を有する電波時計装置であって、
時刻を表す時刻情報に基づく時刻信号に、緊急に報知すべき報知情報に基づく報知信号であって、前記時刻信号とは異なる周波数帯域の報知信号が重畳された重畳信号を受信可能な受信手段と、
前記受信手段によって受信した重畳信号に基づいて、時刻信号および報知信号を検波する検波手段と、
前記検波手段によって検波した時刻信号に基づいて、時刻情報を取得する時刻情報取得手段と、
前記検波手段によって検波した報知信号に基づいて、報知情報を取得する報知情報取得手段と、
前記時刻情報取得手段によって取得した時刻情報に基づいて、前記計時手段によって計時される時刻を修正する時刻修正手段と、
前記時刻修正手段によって修正した時刻を表す修正時刻情報、および前記報知情報取得手段によって取得した報知情報を報知する報知手段とを含むことを特徴とする電波時計装置。
【発明の詳細な説明】
【技術分野】
【０００１】
本発明は、複数の信号が重畳された重畳信号を受信する重畳信号受信装置、重畳信号を送信する重畳信号送信装置およびこれらを備える通信システム、重畳信号を伝送する重畳信号伝送方法ならびに重畳信号を受信可能な電波時計装置に関する。
【背景技術】
【０００２】
第１の従来技術の長波帯標準電波信号モニタ装置は、長波帯標準電波信号（以下、「標準電波信号」という場合がある）を受信し、受信した標準電波信号に含まれる所定の情報、具体的には時刻情報を抽出して表示画面に表示するように構成される（たとえば、特許文献１参照）。
【０００３】
第２の従来技術の緊急連絡装置は、たとえば放送局から送信される超短波信号を受信し、受信した超短波信号に含まれている津波発生などの緊急連絡情報の中から文字情報を抽出し、抽出した文字情報を表示板に表示するように構成される（たとえば、特許文献２参照）。
【０００４】
【特許文献１】特開２００４−１５３５０８号公報
【特許文献２】特開平８−１９１４３２号公報
【発明の開示】
【発明が解決しようとする課題】
【０００５】
近年、複数の異なる周波数帯域の信号が重畳された信号を受信し、各信号が表す情報、たとえば公益性が高い情報および緊急性が高い情報を利用者に対して報知することができる装置および方法の開発が望まれている。
【０００６】
前述の長波帯標準電波信号モニタ装置は、長波帯域の信号を受信するように構成され、前述の緊急連絡装置は、超短波帯域の信号を受信するように構成されている。換言すると、いずれの装置も、１つの周波数帯域の信号を受信するようには構成されているけれども、複数の異なる周波数帯域の信号が重畳された信号を受信するようには構成されていない。
【０００７】
本発明の目的は、複数の異なる周波数帯域の信号を送信可能な重畳信号送信装置を提供することであり、複数の異なる周波数帯域の信号を確実かつ迅速に受信して報知することができる重畳信号受信装置、通信システム、重畳信号伝送方法および電波時計装置を提供することである。
【課題を解決するための手段】
【０００８】
本発明は、複数の異なる周波数帯域の信号が重畳された重畳信号を受信可能な受信手段と、
前記受信手段によって受信した重畳信号に基づいて各周波数帯域の信号を検波する検波手段と、
前記検波手段によって検波した各周波数帯域の信号に基づいて、各信号が表す情報を取得する取得手段と、
前記取得手段によって取得した情報を報知する報知手段とを含むことを特徴とする重畳信号受信装置である。
【０００９】
また本発明は、前記重畳信号は、時刻を表す時刻情報に基づく時刻信号と、緊急に報知すべき報知情報に基づく報知信号とを含むことを特徴とする。
【００１０】
また本発明は、前記受信手段によって重畳信号を受信する時刻および頻度のうち、少なくともいずれか一方を設定可能な設定手段をさらに含むことを特徴とする。
【００１１】
また本発明は、前記報知手段は、前記取得手段によって取得した情報を表示する表示手段を含み、前記取得手段によって取得した情報を表示手段に表示することによって報知することを特徴とする。
【００１２】
また本発明は、前記報知手段は、音声を出力する出力手段を含み、前記取得手段によって取得した情報を出力手段から出力することによって報知することを特徴とする。
【００１３】
また本発明は、前記取得手段によって取得した情報と、取得した日時とを関連付けて記憶する記憶手段と、
前記記憶手段に記憶された情報のうち、日時が最も新しい情報から順に前記表示手段に表示することによって報知するように、報知手段を制御する制御手段とをさらに含むことを特徴とする。
【００１４】
また本発明は、複数の異なる周波数帯域の信号を重畳することによって重畳信号を生成する信号生成手段と、
前記信号生成手段によって生成される重畳信号を送信する送信手段とを含むことを特徴とする重畳信号送信装置である。
【００１５】
また本発明は、前記重畳信号受信装置と、
前記重畳信号送信装置とを含むことを特徴とする通信システムである。
【００１６】
また本発明は、予め定める時刻情報に基づく時刻信号に、緊急に報知すべき報知情報に基づく報知信号であって、前記時刻信号とは異なる周波数帯域の報知信号を重畳することによって重畳信号を生成する重畳信号生成工程と、
前記重畳信号生成工程で生成された重畳信号を送信する送信工程とを含むことを特徴とする重畳信号伝送方法である。
【００１７】
また本発明は、時刻を計時する計時手段を有する電波時計装置であって、
時刻を表す時刻情報に基づく時刻信号に、緊急に報知すべき報知情報に基づく報知信号であって、前記時刻信号とは異なる周波数帯域の報知信号が重畳された重畳信号を受信可能な受信手段と、
前記受信手段によって受信した重畳信号に基づいて、時刻信号および報知信号を検波する検波手段と、
前記検波手段によって検波した時刻信号に基づいて、時刻情報を取得する時刻情報取得手段と、
前記検波手段によって検波した報知信号に基づいて、報知情報を取得する報知情報取得手段と、
前記時刻情報取得手段によって取得した時刻情報に基づいて、前記計時手段によって計時される時刻を修正する時刻修正手段と、
前記時刻修正手段によって修正した時刻を表す修正時刻情報、および前記報知情報取得手段によって取得した報知情報を報知する報知手段とを含むことを特徴とする電波時計装置である。
【発明の効果】
【００１８】
本発明によれば、複数の異なる周波数帯域の信号が重畳された重畳信号は、受信手段によって受信する。たとえば、公益性が高い情報を含む一の周波数帯域の信号に、緊急を要する情報を含み、一の周波数帯域とは異なる他の周波数帯域の信号が重畳された重畳信号が送信されてきた場合、受信手段によって、前記重畳信号を受信することができる。各周波数帯域の信号は、受信手段によって受信した重畳信号に基づいて、検波手段によって検波する。各周波数帯域の信号が表す情報、たとえば公益性が高い情報および緊急を要する情報は、検波手段によって検波した各周波数帯域の信号に基づいて、取得手段によって取得する。取得手段によって取得した情報、たとえば公益性が高い情報および緊急を要する情報は、報知手段によって報知する。これによって重畳信号の各周波数帯域の信号が表す各情報、たとえば公益性が高い情報および緊急を要する情報を、利用者に把握させることができる。
【００１９】
また本発明によれば、重畳信号は、時刻を表す時刻情報に基づく時刻信号と、緊急に報知すべき報知情報に基づく報知信号とを含む。受信手段によって時刻信号および報知信号を受信すると、検波手段によって時刻信号および報知信号を検波し、取得手段によって時刻情報および報知情報を取得する。取得手段によって取得される時刻情報および報知情報は、報知手段によって報知する。これによって時刻信号が表す時刻情報および報知信号が表す報知情報を、利用者に把握させることができる。
【００２０】
また本発明によれば、受信手段によって重畳信号を受信する時刻および頻度のうち、少なくともいずれか一方を、設定手段によって設定することができる。ここで、受信手段によって重畳信号を受信する頻度とは、重畳信号を受信する単位時間または単位日数あたりの回数である。したがって利用者の所望する時刻または頻度で、重畳信号を受信することができる。これによって利用者に対する利便性を向上することができる。
【００２１】
また本発明によれば、報知手段は、情報を表示する表示手段を含む。報知手段は、取得手段によって取得した情報を表示手段に表示することによって報知する。これによって取得手段によって取得した情報、具体的には時刻情報および報知情報を、利用者に確実に把握させることができる。換言すると、取得手段によって取得した時刻情報および報知情報が表示手段に表示されるので、利用者は表示手段に表示される時刻情報および報知情報を視認することによって、時刻情報および報知情報を確実かつ容易に把握することができる。
【００２２】
また本発明によれば、報知手段は、音声を出力する出力手段を含む。報知手段は、取得手段によって取得した情報を出力手段から出力することによって報知する。これによって取得手段によって取得した情報、具体的には時刻情報および報知情報を、利用者に確実に把握させることができる。換言すると、取得手段によって取得した時刻情報および報知情報が出力手段から出力されるので、利用者は出力手段から出力される時刻情報および報知情報を聴取することによって、時刻情報および報知情報を確実かつ容易に把握することができる。前記出力手段から、音声として、たとえばブザーを用いてブザー音を出力することが可能となる。この場合は、ブザー音の出力の仕方、たとえばブザー音の音程を変えることによって、利用者に正確な時刻を報知したり、何らかの報知情報がある旨を報知したりすることが可能となる。
【００２３】
また本発明によれば、取得手段によって取得した情報と取得した日時とは、関連付けられて記憶手段に記憶される。報知手段は、記憶手段に記憶された情報のうち、日時が最も新しい順に表示手段に表示することによって報知するように、制御手段によって制御される。したがって利用者に、取得手段によって取得した最新の情報から過去に取得した情報まで、順に遡って確認させることができる。換言すると利用者は、取得手段によって取得した最新の情報を把握することができるとともに、取得手段によって過去に取得した情報も把握することができる。これによって利用者に対する利便性を向上することができる。
【００２４】
また本発明によれば、複数の異なる周波数帯域の信号を重畳して、信号生成手段によって重畳信号を生成する。信号生成手段によって生成された重畳信号は、送信手段によって送信される。これによって複数の異なる周波数帯域の信号が重畳された重畳信号を、送信先に対して提供することができる。
【００２５】
また本発明によれば、前述のような重畳信号受信装置と重畳信号送信装置とを含む通信システムを実現することができる。したがって前述のような各効果を達成可能な通信システムを実現することができる。
【００２６】
また本発明によれば、重畳信号生成工程では、予め定める時刻情報に基づく時刻信号に、緊急に報知すべき報知情報に基づく報知信号であって、前記時刻信号とは異なる周波数帯域の報知信号を重畳することによって重畳信号を生成する。送信工程では、重畳信号生成工程で生成された重畳信号を送信する。これによって重畳信号生成工程で生成された重畳信号を、送信先に対して提供することができる。
【００２７】
また本発明によれば、時刻を表す時刻情報に基づく時刻信号に、緊急に報知すべき報知情報に基づく報知信号であって、前記時刻信号とは異なる周波数帯域の報知信号が重畳された重畳信号は、受信手段によって受信する。時刻信号および報知信号は、受信手段によって受信した重畳信号に基づいて、検波手段によって検波する。時刻情報は、検波手段によって検波した時刻信号に基づいて、時刻情報取得手段によって取得する。報知情報は、検波手段によって検波した報知信号に基づいて、報知情報取得手段によって取得する。計時手段によって計時される時刻は、時刻情報取得手段によって取得した時刻情報に基づいて、時刻修正手段によって修正する。時刻修正手段によって修正した時刻を表す修正時刻情報、および報知情報取得手段によって取得した報知情報は、報知手段によって報知する。これによって修正時刻情報および報知情報を、利用者に把握させることができる。
【発明を実施するための最良の形態】
【００２８】
図１は、本発明の実施の一形態である通信システム１の電気的構成を示すブロック図である。通信システム１は、重畳信号送信装置２および重畳信号受信装置３を含んで構成される。本実施の形態の重畳信号受信装置３は、時刻を計時する計時手段を備え、標準時刻を表す時刻情報に基づく時刻信号を受信して、受信した時刻信号に基づいて、計時手段によって計時される時刻を修正して表示する機能を有する電波時計装置である。本実施の形態の重畳信号送信装置２は、予め定める位置に固定設置される。重畳信号受信装置３は、たとえば利用者が持運ぶことが可能であり、利用者によって持運ばれることによって移動する。
【００２９】
重畳信号送信装置２は、マイクロコンピュータ（以下、「マイコン」という場合がある）１１、第１発振器１２、第１エンコーダ１３、第２発振器１４、第２エンコーダ１５、ミキサ１６、フィルタ１７、増幅器１８および送信用アンテナ１９を含む。マイコン１１は、時刻を表す時刻情報および緊急に報知すべき報知情報を生成する。マイコン１１は、時刻情報を第１エンコーダ１３に与えるとともに、報知情報を第２エンコーダ１５に与える。
【００３０】
第１発振器１２は、たとえば水晶発振器によって実現される。第１発振器１２は、長波帯域の周波数、たとえば４０ｋＨｚまたは６０ｋＨｚの搬送波を生成する。第１エンコーダ１３は、マイコン１１から与えられる時刻情報を符合化して符合化時刻情報を生成する。そして第１エンコーダ１３は、符合化時刻情報に基づいて、第１発振器１２で生成される搬送波を変調、たとえば振幅変調することによって時刻信号を生成して、ミキサ１６に与える。
【００３１】
第２発振器１４は、たとえば水晶発振器によって実現される。第２発振器１４は、第１発振器１２で生成する搬送波とは周波数が異なる副搬送波を生成する。第２エンコーダは、マイコン１１から与えられる報知情報を符合化して符合化報知情報を生成する。そして第２エンコーダ１５は、符合化報知情報に基づいて、第２発振器１４で生成される副搬送波を変調、たとえば振幅変調することによって報知信号を生成して、ミキサ１６に与える。
【００３２】
ミキサ１６は、第１エンコーダ１３から与えられる時刻信号に、第２エンコーダ１５から与えられる報知信号を重畳することによって重畳信号を生成し、フィルタ１７に与える。換言すると、ミキサ１６は、前記報知信号が表す報知情報に基づいて、前記時刻信号の生成に寄与した搬送波を変調、たとえば振幅変調することによって、時刻信号に報知信号が重畳された重畳信号を生成してフィルタ１７に与える。ミキサ１６で生成された重畳信号は、フィルタ１７によってノイズ成分が除去された後、増幅器１８によって増幅され、送信用アンテナ１９から重畳信号受信装置３に送信される。
【００３３】
本実施の形態の重畳信号送信装置２において、信号生成手段は、マイコン１１、第１エンコーダ１３、第１発振器１２、第２エンコーダ１５、第２発振器１４、ミキサ１６、フィルタ１７および増幅器１８に相当する。送信手段は、送信用アンテナ１９に相当する。
【００３４】
重畳信号受信装置３は、受信用アンテナ２１、増幅器２２、バンドパスフィルタ２３、第１増幅器２４、第１フィルタ２５、第１デコーダ２６、第２増幅器２７、第２フィルタ２８、第２デコーダ２９、操作部３１、計時部３２、記憶部３３、表示部３４、音声出力部３５およびマイクロコンピュータ（以下、「マイコン」という場合がある）３６を含む。重畳信号送信装置２から送信された重畳信号は、受信用アンテナ２１を介して受信し、その受信した重畳信号は、増幅器２２によって増幅処理する。増幅処理された重畳信号は、バンドパスフィルタ２３に与える。バンドパスフィルタ２３は、重畳信号に含まれる時刻信号および報知信号以外のノイズ成分を除去することによって、時刻信号および報知信号を抽出し、第１増幅器２４および第２増幅器２７に与える。
【００３５】
第１増幅器２４は、バンドパスフィルタ２３から与えられる時刻信号および報知信号を増幅して、第１フィルタ２５に与える。第１フィルタ２５は、時刻信号および報知信号のうち報知信号を除去することによって、時刻信号を抽出し、抽出した時刻信号を検波する。第１フィルタ２５は、検波した時刻信号を第１デコーダ２６に与える。第１デコーダ２６は、第１フィルタ２５から与えられる前記検波された時刻信号に基づいて、時刻信号が表す時刻情報を取得する。第１デコーダ２６は、取得した時刻情報をマイコン３６に与える。
【００３６】
第２増幅器２７は、バンドパスフィルタ２３から与えられる時刻信号および報知信号を増幅して、第２フィルタ２８に与える。第２フィルタ２８は、時刻信号および報知信号のうち時刻信号を除去することによって、報知信号を抽出し、抽出した報知信号を検波する。第２フィルタ２８は、検波した報知信号を第２デコーダ２９に与える。第２デコーダ２９は、第２フィルタ２８から与えられる前記検波された報知信号に基づいて、報知信号が表す報知情報を取得する。第２デコーダ２９は、取得した報知情報をマイコン３６に与える。
【００３７】
操作部３１は、利用者が操作する操作入力キーなどの複数の操作片を有する。操作部３１は、各操作片が操作されることによって、数字情報、文字情報および重畳信号受信装置３への指示情報などの所定の情報など、操作に応じた情報を表す信号を生成してマイコン３６に与える。したがって利用者は、操作部３１の各操作片を操作して、重畳信号受信装置３に情報を入力することができる。本実施の形態では、重畳信号を受信する時刻および頻度のうち、少なくともいずれか一方を入力するときに、利用者によって操作される。ここで、重畳信号を受信する頻度とは、重畳信号を受信する単位時間または単位日数あたりの回数である。
【００３８】
計時部３２は、水晶振動子を用いて時刻を計時する。記憶部３３は、リードオンリメモリ（Read Only Memory；略称：ＲＯＭ）、ランダムアクセスメモリ（Random Access
Memory；略称：ＲＡＭ）、およびフラッシュメモリを含む。ＲＯＭは、重畳信号受信装置３の動作を制御するための制御プログラムを記憶する。ＲＡＭは、利用者によって操作部３１が操作されて入力された情報を一時的に記憶する。フラッシュメモリは、第１デコーダ２６によって取得した時刻情報および第２デコーダ２９によって取得した報知情報を記憶する。フラッシュメモリは、第２デコーダ２９によって取得した報知情報と、報知情報を取得した日時とを関連付けて記憶する。またフラッシュメモリは、後述する報知情報テーブル４０を記憶する。
【００３９】
表示部３４は、文字、数字などのキャラクタを表す画像（以下、単に「文字画像」という場合がある）を表示する。表示部３４は、マイコン３６から与えられる制御信号に基づいて時刻情報と、報知情報、具体的には後述する報知内容４２とを文字画像として表示する。以下の説明では、単に「時刻情報および報知情報を表示部３４に表示する」と表記する場合がある。また表示部３４は、第２デコーダ２９によって取得され、記憶部３３に記憶されている報知情報のうち、日時が最も新しい報知情報から順に表示する。表示部３４は、たとえばカラー表示可能な半透過半反射型液晶表示素子によって実現される。表示部３４は、カラー表示または白黒表示可能な透過型液晶表示素子、反射型液晶表示素子、エレクトロルミネッセンス（Electro Luminescence；略称：ＥＬ）素子および白黒表示可能な半透過半反射型液晶表示素子のうちいずれか１つによって実現されてもよい。音声出力部３５は、たとえばスピーカによって実現される。音声出力部３５は、マイコン３６から与えられる制御信号に基づいて、取得した時刻情報および報知情報を音声で出力する。
【００４０】
マイコン３６は、第１デコーダ２６から与えられる時刻情報および第２デコーダ２９から与えられる報知情報と、時刻情報および報知情報を取得した日時とを関連付けて記憶部３３に記憶させる。マイコン３６は、操作部３１が操作されて入力される重畳信号を受信する時刻および頻度に基づいて、重畳信号を受信するように動作する。マイコン３６は、第１デコーダ２６から与えられる時刻情報が表す時刻、具体的には標準時刻と、計時部３２によって計時される時刻（以下、「計時時刻」という場合がある）とを比較して、標準時刻と計時時刻とが一致しているか否かを判断し、一致していなければ、計時時刻を標準時刻に修正する。マイコン３６は、時刻情報および報知情報を表示部３４に表示させるための制御信号を表示部３４に与える。マイコン３６は、時刻情報および報知情報を音声出力部３５から出力させるための制御信号を音声出力部３５に与える。
【００４１】
重畳信号受信装置３は、時刻情報および報知情報を報知することを目的としており、消費電力を比較的低く抑えるように設計されている。本実施の形態において、受信手段は、受信用アンテナ２１、増幅器２２およびバンドパスフィルタ２３に相当する。検波手段は、第１増幅器２４、第１フィルタ２５、第２増幅器２７および第２フィルタ２８に相当する。取得手段は、第１デコーダ２６および第２デコーダ２９に相当する。報知手段は、マイコン３６、表示部３４および音声出力部３５に相当する。表示手段は、表示部３４に相当する。出力手段は、音声出力部３５に相当する。設定手段は、操作部３１およびマイコン３６に相当する。記憶手段は、記憶部３３に相当する。制御手段は、マイコン３６および記憶部３３に相当する。計時手段および時刻修正手段は、計時部３２およびマイコン３６に相当する。時刻情報取得手段は、第１デコーダ２６に相当し、報知情報取得手段は、第２デコーダ２９に相当する。
【００４２】
図２は、報知情報テーブル４０を示す図である。報知情報テーブル４０は、報知情報４１および報知内容４２を含む。報知情報４１は、報知内容４２に対応する番号である。報知内容４２は、表示部３４および音声出力部３５によって報知する内容を表す文である。報知内容４２は、報知情報４１と対応付けられている。報知内容４２は、図２に示すように、たとえば「ＴＶヲツケテクダサイ」、「ラジオヲツケテクダサイ」および「津波警報発令」である。
【００４３】
本実施の形態の重畳信号送信装置２は、報知内容４２に対応する報知情報４１を表す報知信号と、時刻信号とを重畳した重畳信号を重畳信号受信装置３に対して送信する。重畳信号受信装置３は、重畳信号送信装置２から送信された重畳信号を受信し、重畳信号から報知信号を抽出する。そして報知信号が表す報知情報、具体的には報知内容４２に対応する番号を第２デコーダ２９によって取得する。第２デコーダ２９が報知情報として、たとえば番号「１」を取得した場合、マイコン３６は、記憶部３３に記憶されている報知情報テーブル４０を参照し、報知情報４１である番号「１」に対応する報知内容「ＴＶヲツケテクダサイ」を読出す。マイコン３６によって読出された報知内容４２は、表示部３４に表示されるか、音声出力部３５から音声によって出力されることによって報知される。報知内容４２は、英字、数字、漢字、平仮名文字および片仮名文字のうち少なくともいずれか１つによって表示部３４に表示される。
【００４４】
図３は、重畳信号の送信処理に関する重畳信号送信装置２の処理手順を示すフローチャートである。重畳信号の送信処理に関する重畳信号送信装置２の処理手順の開始条件は、たとえば重畳信号送信装置２に電源が投入されていることである。
【００４５】
ステップａ１では、第１エンコーダ１３が、マイコン１１から与えられる時刻情報を符合化して符合化時刻情報を生成し、符合化時刻情報に基づいて、第１発振器１２で生成される搬送波を変調することによって時刻信号を生成する。ステップａ２では、第２エンコーダ１５が、マイコン１１から与えられる報知情報を符合化して符合化報知情報を生成し、符号化報知情報に基づいて、第２発振器１４で生成される副搬送波を変調することによって報知信号を生成する。
【００４６】
ステップａ３では、ミキサ１６が、ステップａ１で生成された時刻信号に、ステップａ２で生成された報知信号を重畳することによって重畳信号を生成する。ステップａ４では、ステップａ３で生成された重畳信号を、送信用アンテナ１９を介して重畳信号受信装置３に送信して、本処理を終了する。本実施の形態において、ステップａ１〜ステップａ３は、重畳信号生成工程に相当する。ステップａ４は、送信工程に相当する。
【００４７】
図４は、重畳信号の受信処理に関する重畳信号受信装置３の処理手順を示すフローチャートである。重畳信号の受信処理に関する重畳信号受信装置３の処理手順の開始条件は、たとえば重畳信号受信装置３に電源が投入されていることである。
【００４８】
ステップｂ１では、マイコン３６が、受信用アンテナ２１を介して、重畳信号送信装置２から送信される重畳信号を受信しているか否かを判断し、受信していればステップｂ２に進み、受信していなければ受信するまで待機する。ステップｂ２では、第１フィルタ２５が、重畳信号から時刻信号を抽出する。ステップｂ３では、第１フィルタ２５が、ステップｂ２で抽出された時刻信号を検波する。ステップｂ４では、第１デコーダ２６が、ステップｂ３で検波された時刻信号に基づいて、時刻情報を取得する。
【００４９】
ステップｂ５では、第２フィルタ２８が、重畳信号から報知信号を抽出する。ステップｂ６では、第２フィルタ２８が、ステップｂ５で抽出された報知信号を検波する。ステップｂ７では、第２デコーダ２９が、ステップｂ６で検波された報知信号に基づいて、報知情報を取得する。ステップｂ８では、マイコン３６が、ステップｂ４で取得した時刻情報およびステップｂ７で取得した報知情報を、表示部３４および音声出力部３５の少なくともいずれか一方によって報知して、本処理を終了する。
【００５０】
前述のように本実施の形態によれば、公益性が高い情報を含む一の周波数帯域の信号、たとえば時刻を表す時刻情報に基づく時刻信号に、緊急に報知すべき報知情報を含み、一の周波数帯域とは異なる他の周波数帯域の報知信号が重畳された重畳信号が、重畳信号送信装置２から送信された場合、重畳信号受信装置３は、予め定める時刻に受信用アンテナ２１を介して受信する。受信した重畳信号に含まれる時刻信号は、第１フィルタ２５によって抽出して検波する。受信した重畳信号に含まれる報知信号は、第２フィルタ２８によって抽出して検波する。
【００５１】
第１デコーダ２６は、第１フィルタ２５によって検波した時刻信号に基づいて、時刻信号が表す時刻情報を取得する。第２デコーダ２９は、第２フィルタ２８によって検波した報知信号に基づいて、報知信号が表す報知情報を取得する。計時部３２によって計時される時刻は、第１デコーダ２６によって取得した時刻情報に基づいて、マイコン３６によって修正する。マイコン３６によって修正した時刻を表す修正時刻情報、および第２デコーダ２９によって取得した報知情報は、表示部および音声出力部３５の少なくともいずれか一方によって報知する。これによって修正時刻情報および報知情報を、利用者に把握させることができる。
【００５２】
また本実施の形態によれば、重畳信号送信装置２から送信される重畳信号を受信する時刻および重畳信号を受信する単位時間または単位日数あたりの回数のうち、少なくともいずれか一方を、操作部３１を操作することによって入力し、設定することができる。したがって利用者の所望する時刻および回数で、重畳信号を受信することができる。これによって利用者に対する利便性を向上することができる。
【００５３】
また本実施の形態によれば、マイコン３６によって修正された時刻を表す画像、および第２デコーダ２９によって取得した報知情報を表す画像を、表示部３４に表示することによって報知する。これによって前記修正された時刻および報知情報を、利用者に確実に把握させることができる。換言すると、利用者は表示部３４に表示される前記修正された時刻を表す画像および報知情報を表す画像を視認することによって、前記修正された時刻および報知情報を確実かつ容易に把握することができる。
【００５４】
また本実施の形態によれば、マイコン３６によって修正された時刻を表す修正時刻情報、および第２デコーダ２９によって取得した報知情報を、音声出力部３５から音声で出力することによって報知する。これによって前記修正時刻情報および報知情報を、利用者に確実に把握させることができる。換言すると、利用者は音声出力部３５から出力される修正時刻情報および報知情報を聴取することによって、修正時刻情報および報知情報を確実かつ容易に把握することができる。本実施の形態では、音声出力部３５から、音声として、たとえばブザーを用いてブザー音を出力することが可能となる。この場合は、ブザー音の出力の仕方、たとえばブザー音の音程を変えることによって、利用者に正確な時刻を報知したり、何らかの報知情報がある旨を報知したりすることが可能となる。
【００５５】
また本実施の形態によれば、第２デコーダ２９によって取得した報知情報と、報知情報を取得した日時とは、関連付けて記憶部３３に記憶される。記憶部３３に記憶された報知情報は、日時が最も新しい順に表示部３４に表示することによって報知するように、マイコン３６によって制御される。したがって利用者に、第２デコーダ２９によって取得した最新の報知情報から過去に取得した報知情報まで、順に遡って確認させることができる。換言すると利用者は、第２デコーダ２９によって取得した最新の報知情報を把握することができるとともに、第２デコーダ２９によって過去に取得した報知情報も把握することができる。これによって利用者に対する利便性を向上することができる。
【００５６】
また本実施の形態によれば、重畳信号送信装置２において、ミキサ１６は、第１エンコーダ１３によって生成される時刻信号と、第２エンコーダ１５によって生成される報知信号とを重畳することによって、重畳信号を生成する。ミキサ１６によって生成された重畳信号は、送信用アンテナ１９を介して重畳信号受信装置３に送信される。これによって複数、本実施の形態では２つの異なる周波数帯域の信号が重畳された重畳信号を、重畳信号受信装置３に対して提供することができる。
【００５７】
また本実施の形態の重畳信号受信装置３は、標準時刻を表す時刻情報に基づく時刻信号を受信する機能を有する既存の電波時計装置に、たとえば時刻信号に報知信号が重畳された重畳信号を受信し、受信した重畳信号から、重畳されている各信号を抽出し、抽出した各信号が表す情報を取得して報知する機能を備えて構成されている。したがって重畳信号受信装置３を製造するとき、既存の電波時計装置で用いられている部品を用いることができる。これによって製造コストの増大を防ぐことができる。
【００５８】
また本実施の形態の重畳信号受信装置３は、利用者が持運ぶことが可能な電波時計装置であり、利用者の比較的身近な場所に設置されて利用される場合が多いので、時刻情報および報知情報が報知された場合、利用者に比較的迅速に、時刻情報および報知情報を把握させることができる。これによって利用者に対する利便性を向上することができる。
【００５９】
また本実施の形態によれば、重畳信号送信装置２で生成される重畳信号を送信するときの搬送波として、周波数帯域が長波帯域の搬送波を用いている。これによって周波数帯域が短波帯域である電波を用いたテレビジョン放送およびラジオ放送のように、季節および時間などによる電離層の変動ならびにデリンジャー現象などの悪影響を受けることなく、比較的長距離の位置まで安定して、重畳信号を送信することができる。
【００６０】
長波帯域の周波数、たとえば４０ｋＨｚの搬送波によって重畳信号を送信する重畳信号送信装置２を東日本、具体的には福島県に設置し、長波帯域の周波数、たとえば６０ｋＨｚの搬送波によって重畳信号を送信する重畳信号送信装置２を西日本、具体的には佐賀県に設置することによって、ほぼ日本全国に重畳信号を送信することが可能となる。
【００６１】
したがってテレビジョン放送およびラジオ放送を受信できない山間部および離島などの地域でも、重畳信号送信装置２から送信される重畳信号を、重畳信号受信装置３によって確実に受信することができる。これによって受信した重畳信号から時刻信号および報知信号を抽出し、時刻情報および報知情報を取得して報知することができる。換言すると、時刻情報および報知情報を、前記山間部および離島などの地域の利用者にも確実に把握させることができる。
【００６２】
前述の実施の形態は、本発明の例示に過ぎず、発明の範囲内において構成を変更することができる。前述の実施の形態では、時刻情報および報知情報を表示部３４に表示すること、および時刻情報および報知情報を音声出力部３５から音声によって出力することの少なくともいずれか一方によって報知するように構成されているけれども、このような構成に限定されない。本発明の他の実施の形態では、光を発する発光手段を設け、発光手段を発光させて報知するように構成してもよいし、振動発生手段を設け、振動発生手段によって発生する振動によって報知するように構成してもよい。このように構成した場合でも、前述の実施の形態と同様の効果を得ることができる。
【００６３】
また前述の実施の形態では、時刻情報および報知情報を同一の表示部３４に表示させるように構成されているが、本発明の他の実施の形態では、複数の表示部３４を設け、時刻情報および報知情報をそれぞれ個別の表示部に表示させるように構成してもよい。
【００６４】
本発明の他の実施の形態では、重畳信号受信装置を、たとえば腕時計などのように利用者が携帯可能に構成されてもよい。携帯可能に構成される重畳信号受信装置では、時刻情報および報知情報が報知された場合、利用者にさらに迅速に時刻情報および報知情報を把握させることができる。これによって利用者に対する利便性を格段に向上することができる。
【図面の簡単な説明】
【００６５】
【図１】本発明の実施の一形態である通信システム１の電気的構成を示すブロック図である。
【図２】報知情報テーブル４０を示す図である。
【図３】重畳信号の送信処理に関する重畳信号送信装置２の処理手順を示すフローチャートである。
【図４】重畳信号の受信処理に関する重畳信号受信装置３の処理手順を示すフローチャートである。
【符号の説明】
【００６６】
１  通信システム
２  重畳信号送信装置
３  重畳信号受信装置
１１，３６  マイクロコンピュータ（マイコン）
１２  第１発振器
１３  第１エンコーダ
１４  第２発振器
１５  第２エンコーダ
１６  ミキサ
１７  フィルタ
１８，２２  増幅器
１９  送信用アンテナ
２１  受信用アンテナ
２３  バンドパスフィルタ
２４  第１増幅器
２５  第１フィルタ
２６  第１デコーダ
２７  第２増幅器
２８  第２フィルタ
２９  第２デコーダ
３１  操作部
３２  計時部
３３  記憶部
３４  表示部
３５  音声出力部
４０  報知情報テーブル
４１  報知情報
４２  報知内容
【図１】
2006345282.tif 000003
【図２】
2006345282.tif 000004
【図３】
2006345282.tif 000005
【図４】
2006345282.tif 000006